(57)【要約】【課題】小さくて取り扱いに不便な採血用穿刺装置を装着して、容易に使用することができるで使用補助装置を提供する。【解決手段】本体２の受け入れ穴２１に採血用穿刺装置１０１の先端側を嵌合させ、針キャップ１０９を割溝３１ａに差し込み、回転させてハウジング１０３を抜き取る。押圧部３２を押し込み、介入板部２４ｄで針キャップ１０９を解放穴３１ｂへ押し出し排出する。針キャップ１０９を抜き取った穿刺装置１０１の基端側をスライドケース４に嵌合し、先端側に指先等の採血部を押し当てて、スライドケース４と共に押し込むと、操作片１０８が受け入れ穴２２の内周により半径方向内側へ押し込まれ、係止部材１０７がランセット１０４を解放して、穿刺針１０５がハウジング１０３からの突出し、採血部に刺さる。【選択図】図７
2018102337.tif 000002
【特許請求の範囲】
【請求項１】
先端側に開口を有し基端側が閉じた概略円筒状のハウジングと、先端に穿刺針を有し前記開口から先端側へ突出可能にハウジングに収容されるランセットと、当該ランセットを突出方向へ付勢するように前記ハウジング内に設けられるばねと、前記ランセットを前記ばねの付勢力に抗して前記ハウジング内に係止する第１位置と係止解除する第２位置との間で移動自在に前記ハウジング内に設けられる係止部材と、前記ハウジングの外周側へ突出するように設けられ半径方向内側へ弾性的に押し込まれることにより前記係止部材の前記係止を解除する操作片と、基端側において前記穿刺針の先端部を係脱自在に覆い先端側が前記開口から突出し前記ハウジングに対して所定の軸周り回転角度の係止位置において前記ハウジング内に係止され他の回転角度の解放位置において当該係止が解かれて前記穿刺針から分離可能な針キャップとを備える採血用穿刺装置の使用補助装置であって、
軸線方向の一端側に前記採血用穿刺装置の先端側を受け入れ可能に開口する第1の受け入れ穴を有し、軸線方向の他端側に前記ハウジングの基端側を受入可能に他端側へ開口する第２の受け入れ穴を有する概略筒状の本体と、
前記第1の受け入れ穴の奥部に張り出す把持部と、前記本体の外周側へ突出する押圧部とを具備し、当該押圧部が前記本体の外周側へ突出した第１位置と当該本体内へ押し込まれた第２位置との間を当該本体の軸線直交方向に移動自在で、第１位置側へ付勢されて前記本体に組み込まれるキャップ把持部材と、
前記第２の受け入れ穴内に、それの開口側の第１位置と奥側の第２位置との間で当該受け入れ穴の軸線方向に移動自在で、開口側へ付勢されて組み込まれ、前記採血用穿刺装置の基端側を抜き差し自在に嵌合させる嵌合部を具備するスライドケースとを具備し、
前記キャップ把持部材の把持部は、前記第１の受け入れ穴に嵌合された前記採血用穿刺装置のキャップの先端部を軸周り相対回転不可能に嵌合させる、移動方向に沿う割溝と、当該割り溝における前記押圧部側の基端に連続して形成され当該割り溝の幅より大径の解放穴とを具備し、
前記本体は、前記キャップ把持部材の割り溝の先端側に相対摺動自在に挟まる介入板部を具備し、
前記キャップ把持部材は、前記針キャップの先端部を前記割り溝に把持させて前記第１の受け入れ穴に嵌合された前記採血用穿刺装置が軸周り回転されたとき、前記針キャップを前記採血用穿刺装置のハウジングに対して解放位置へ相対回転させ、解放された前記針キャップを前記割り溝に残置させて前記採血用穿刺装置が前記第１の受け入れ穴から抜き取られた後、前記押圧部が前記本体内へ押し込まれると、前記割り溝に残置された前記針キャップが前記介入板部により前記解放穴へ押し出され前記第１の受け入れ穴から排出可能に構成され、
前記スライドケースは、前記針キャップが抜き取られた前記採血用穿刺装置の基端側が前記嵌合部に嵌合され、先端側が人体の採血部に押し当てられた状態において、前記採血用穿刺装置と共に前記第２の受け入れ穴の奥側の第２位置へ押し込まれるとき、前記採血用穿刺装置の操作片が前記第２の受け入れ穴の内周により半径方向内側へ押し込まれ、前記係止部材が前記ランセットを解放して前記ハウジングからの突出を許容するように構成されることを特徴とする採血用穿刺装置の使用補助装置。
【発明の詳細な説明】
【技術分野】
【０００１】
本発明は、皮膚を穿刺して、少量の血液を採取するための穿刺装置を使用するに際し、その操作を補助するために用いられる使用補助装置に関する。
【背景技術】
【０００２】
糖尿病患者による血糖レベルの定期チェック等の目的で、少量の血液を自己採取しなければならない場合に、これを安全且つ確実に行うことができるように、従来から、特許文献１に開示されるような穿刺装置が用いられている。
この採血用穿刺装置は、先端側に開口を有し基端側が閉じた概略円筒状のハウジングと、先端に穿刺針を有し開口から先端側へ突出可能にハウジングに収容されるランセットと、当該ランセットを突出方向へ付勢するようにハウジング内に設けられるばねと、ランセットをばねの付勢力に抗してハウジング内に係止する第１位置と係止解除する第２位置との間で移動自在にハウジング内に設けられる係止部材と、ハウジングの外周側へ突出するように設けられ半径方向内側へ弾性的に押し込まれることにより係止部材の係止を解除する操作片と、基端側において穿刺針の先端部を係脱自在に覆い先端側が前記開口から突出し前記ハウジングに対して所定の軸周り回転角度の係止位置においてハウジング内に係止され他の回転角度の解放位置において当該係止が解かれて穿刺針から分離可能な針キャップとを備える。
【先行技術文献】
【特許文献】
【０００３】
【特許文献１】特開２０１４−６８７１０号公報
【発明の概要】
【発明が解決しようとする課題】
【０００４】
上記従来の採血用穿刺装置は、小型の装置であるため、針キャップの取り外し、その後採血部へ押し当てながらの操作片の押圧操作などの指先の操作による取り扱いが、使用者にとって容易でない場合がある。したがって、本発明は、採血用穿刺装置を用いた採血作業をより容易に行える使用補助装置を提供することを目的としている。
【課題を解決するための手段】
【０００５】
以下、添付図面の符号を参照して説明するが、本発明はこれに限定されるものではない。
【０００６】
上記課題を解決するための、本発明の採血用穿刺装置１０１の使用補助装置１は、概略筒状の本体２と、本体２に組み込まれるキャップ把持部材３およびスライドケース４を具備する。
【０００７】
本体２は、軸線方向の一端側に採血用穿刺装置１０１のハウジング１０３の先端側を受け入れ可能に開口する第1の受け入れ穴２１を有し、軸線方向の他端側にハウジング１０３の基端側を受入可能に他端側へ開口する第２の受け入れ穴２２を有する。
【０００８】
キャップ把持部材３は、第1の受け入れ穴２１の奥部に張り出す把持部３１と、本体２の外周側へ突出する押圧部３２とを具備し、当該押圧部３２が本体２の外周側へ突出した第１位置と当該本体２内へ押し込まれた第２位置との間を当該本体２の軸線直交方向に移動自在で、第１位置側へ付勢されて本体２に組み込まれる。
【０００９】
スライドケース４は、第２の受け入れ穴２２内に、それの開口側の第１位置と奥側の第２位置との間で当該受け入れ穴２２の軸線方向に移動自在で、開口側へ付勢されて組み込まれる。スライドケース４は、採血用穿刺装置１０１の基端側を抜き差し自在に嵌合させる嵌合部４１を具備する。
【００１０】
キャップ把持部材３の把持部３１は、第１の受け入れ穴２１に嵌合された採血用穿刺装置１０１の針キャップ１０９の先端部を軸周り相対回転不可能に嵌合させる、移動方向に沿う割溝３１ａと、当該割り溝３１ａにおける押圧部３２側の基端に連続して形成される解放穴３１ｂとを具備する。解放穴３１ｂは、割り溝３１ａの幅より大径である。
【００１１】
本体２は、さらに、キャップ把持部材３の割り溝３１ａの先端側に相対摺動自在に挟まる介入板部２４ｄを具備する。
【００１２】
キャップ把持部材３は、針キャップ１０９の先端部を割り溝３１ａに把持させて、第１の受け入れ穴２１に嵌合された血用穿刺装置１０１のハウジング１０３が軸周り回転されたとき、針キャップ１０９をハウジング１０３に対して解放位置へ相対回転させ、解放された針キャップ１０９を割り溝３１ａ内に残置させる。採血用穿刺装置１０１が第１の受け入れ穴２１から抜き取られた後、押圧部３２が本体２内へ押し込まれると、割り溝３１ａに残置された針キャップ１０９が介入板部２４ｄにより解放穴３１ｂへ押し出され、第１の受け入れ穴２１から排出可能となる。
【００１３】
スライドケース４の嵌合部４１に、針キャップ１０９が抜き取られたハウジング１０３の基端側が嵌合され、先端側が人体の採血部に押し当てられる。この状態で、採血用穿刺装置１０１と共にスライドケース４４が第２の受け入れ穴の奥側の第２位置へ押し込まれるとき、採血用穿刺装置の操作片１０８が第２の受け入れ穴２２の内周により半径方向内側へ押し込まれ、係止部材１０７がランセット１０４を解放してハウジング１０３の先端開口１０２からの突出を許容する。
【発明の効果】
【００１４】
本発明の採血用穿刺装置の使用補助装置１は、これに小さくて取り扱いに不便な採血用穿刺装置１０１を装着して単純な操作で使用することができるので、細かい操作に支障がある不自由な使用者でも、容易に自己採血を行うことができる。
【図面の簡単な説明】
【００１５】
【図１】本発明に係る採血用穿刺装置の使用補助装置の正面図である。
【図２】図１の使用補助装置の背面図である。
【図３】図１の使用補助装置の平面図である。
【図４】図１の使用補助装置の底面図である。
【図５】図１におけるＶ−Ｖ断面図である。
【図６】図１におけるＶＩ−ＶＩ断面図である。
【図７】図１の使用補助装置の使用状態を示すもので、（Ａ）は一部の縦断面図、（Ｂ）横断面図である。
【図８】図１の使用補助装置の他の使用状態を示すもので、（Ａ）は一部の縦断面図、（Ｂ）横断面図である。
【図９】図１の使用補助装置の使用状態を示すもので、（Ａ）、（Ｂ）は順次使用経過を示す。
【図１０】図１の使用補助装置を適用する採血用穿刺装置の断面図である。
【図１１】図１０の採血用穿刺装置の斜視図である。
【発明を実施するための形態】
【００１６】
まず、本発明の使用補助装置１を適用する採血用穿刺装置１０１の概要を図１０、図１１について説明する。採血用穿刺装置１０１は、先端側に開口１０２を有し基端側が閉じた概略円筒状のハウジング１０３と、先端に穿刺針１０５を有し開口１０２から先端側へ突出可能にハウジング１０３に収容されるランセット１０４と、当該ランセット１０４を突出方向へ付勢するようにハウジング１０３内に設けられるばね１０６と、ランセット１０４をばね１０６の付勢力に抗してハウジング１０３内に係止する第１位置と係止解除する第２位置との間で移動自在にハウジング１０３内に設けられる係止部材１０７と、ハウジング１０３の外周側へ突出するように設けられ半径方向内側へ弾性的に押し込まれることにより係止部材１０７の係止を解除する操作片１０８と、基端側において穿刺針１０５の先端部を係脱自在に覆い、先端側が開口１０２から突出し、ハウジング１０３に対して所定の軸周り回転角度の係止位置においてハウジング１０３内に係止され他の回転角度の解放位置において当該係止が解かれて穿刺針１０５から分離可能な針キャップと１０９を備える。
【００１７】
採血用穿刺装置１０１を使用するには、まず、針キャップ１０９の先端部を指で摘まんで、ハウジング１０３に対して軸周りに解放位置まで回転させる。これにより、針キャップ１０９とハウジング１０３との係合が外れるので、これを引き抜いて針１０５から外す。次いで、ハウジング１０３の開口１０２を指先などの採血部に押し当てて、操作片１０８をハウジング１０３の内側に押し込むと、係止部材１０７がランセット１０４を解放して、穿刺針１０５の先端部が開口１０２から突出し瞬時採血部に刺さる。
【００１８】
次に、図１ないし図９を参照して本発明の実施の形態を説明する。採血用穿刺装置１０１の使用補助装置１は、概略筒状の本体２と、本体２に組み込まれるキャップ把持部材３およびスライドケース４を具備する。
【００１９】
本体２は、軸線方向の一端側に採血用穿刺装置１０１の先端側を受け入れ可能に開口する第1の受け入れ穴２１を有し、軸線方向の他端側にハウジング１０３の基端側を受入可能に他端側へ開口する第２の受け入れ穴２２を有する。
【００２０】
第1の受け入れ穴２１は、開口側の大径部２１ａと、段部２1ｃを介して同心的に延びる小径部２１ｂとを具備する。受け入れ穴２１小径部２１ｂに直交するように、キャップ把持部材３を受け入れる直交孔２４が本体２に形成される。
【００２１】
受け入れ穴２２は、開口側の大径部２２ａと、段部２２ｃを介して同心的に延びる小径部２２ｂとを具備する。、小径部２２ｂは、小径部２１ｂと本体２の軸心上で連続している。大径部２２ａの中間部を横断するように、軸方向の長孔２３が本体２を貫通している。
【００２２】
キャップ把持部材３は、第1の受け入れ穴２１の奥部の小径部２１ｂへ張り出す把持部３１と、本体２の外周側へ突出する断面角柱状の押圧部３２とを具備し、本体２の直交孔２４に移動自在に組み込まれる。直交孔２４は、押圧部３２を嵌合させるように本体２の一側面側に開口する大角孔部２４ａと、これに段部２４ｂを介して連続し、介入板部２４ｄにより２つに分かれて本体２の他側面側へ抜ける扁平角孔部２４ｃとを具備する。扁平角孔部２４ｃに把持部３１が挿通される。
【００２３】
キャップ把持部材３は、押圧部３１が本体２の外周側へ突出した第１位置（図５，６，７）と、本体２内へ押し込まれた第２位置（図８）との間を本体２の軸線直交方向に移動自在で、ばね３３により、本体２から突出した第１位置側へ付勢される。
【００２４】
把持部３１は、割溝３１ａと、それの押圧部３２側の基端に連続する解放穴３１ｂとを具備する。割溝３１ａは、キャップ把持部材３の移動方向に沿うように延び、これに介入板部２４ｄが介入している。解放穴３１ｂは、割り溝３１ａの幅より大径である。図７に示すように、割溝３１ａは、第１の受け入れ穴２１に嵌合された採血用穿刺装置１０１の針キャップ１０９の先端部を軸周り相対回転不可能に嵌合させる。
【００２５】
スライドケース４は、第２の受け入れ穴２２内に組み込まれ、受け入れ穴２２の開口側の第１位置（図９（Ａ））と、奥側の第２位置（図９（Ｂ））との間で軸線方向に移動自在で、ばね４４により開口側へ付勢される。スライドケース４は、採血用穿刺装置１の基端側を抜き差し自在に嵌合させる有底筒状の嵌合部４１と、嵌合部４１の底から延出する小径の軸部４２とを具備する。ばね４４は、嵌合部４１の底と段部２２ｃとの間に位置して、軸部４２の外周に嵌め込まれる。軸部４２を軸線直交方向に貫通するようにストッパピン４３が固定され、その両端部が、本体の長孔２３を貫通する。したがって、スライドケース４は、長孔２３の範囲で、第１位置（図９（Ａ））と、奥側の第２位置（図９（Ｂ））との間を移動自在である。
【００２６】
使用補助装置１を用いて採血用穿刺装置１０１の使用をする場合には、図７に示すように、採血用穿刺装置１０１の先端側を使用補助装置１の第１の受け入れ穴２１に挿入し、針キャップ１０９を把持部材３の割溝３１ａに嵌合させるように押し込む。次いでハウジング１０３を軸周りに回転させ、針キャップ１０９をハウジング１０３から解放し、図８に示すように、ハウジング１０３を受け入れ穴２１から引き抜くと、針キャップが１０９を穿刺針１０５から抜け、割溝３１ａ内に残置される。次いで、図８（Ｂ）に示すように、押圧部３２を本体２内へ押し込むと、割り溝３１ａ内に残置された針キャップ１０９は、介入板部２４ｄにより、解放穴３１ｂへ押し出され、第１の受け入れ穴２１から排出可能となる。受け入れ穴２１を下方に向ければ、針キャップ１０９は排出される。
【００２７】
次いで、図９（Ａ）に示すように、針キャップ１０９が抜き取られた採血用穿刺装置１０１の基端側をスライドケース４の嵌合部４１に嵌合し、ハウジング１０３の先端側に指先等の採血部を押し当てて、図９（Ｂ）に示すように、スライドケース４と共に、ハウジング１０３を受け入れ穴２２の奥側へ押し込む。このとき、採血用穿刺装置１０１の操作片１０８が受け入れ穴２２の内周に摺接して半径方向内側へ押し込まれ、係止部材１０７がランセット１０４を解放して、穿刺針１０５がハウジング１０３からの突出し、採血部に刺さる。
【００２８】
採血用穿刺装置１０１は、小さくて取り扱いに不便であるが、これを使用補助装置１に装着して操作すれば、容易に使用することができる。指先での細かい操作に支障がある不自由な使用者でも、容易に自己採血を行うことができる。
【符号の説明】
【００２９】
１      使用補助装置
２      本体
２１    第1の受け入れ穴
２１ａ  大径部
２１ｂ  小径部
２１ｃ  段部
２２    第２の受け入れ穴
２２ａ  大径部
２２ｂ  小径部
２２ｃ  段部
２３    長孔
２４    直交孔
２４ａ  大角孔部
２４ｂ  段部
２４ｃ  扁平角孔部
２４ｄ  介入板部
３      キャップ把持部材
３１    把持部
３１ａ  割溝
３１ｂ  解放穴
３２    押圧部
３３    ばね
４      スライドケース
４１    嵌合部
４２    軸部
４３    ストッパピン
４４    ばね
１０１  採血用穿刺装置
１０２  開口
１０３  ハウジング
１０４  ランセット
１０５  穿刺針
１０６  ばね
１０７  係止部材
１０８  操作片
１０９  針キャップ
【図１】
2018102337.tif 000003
【図２】
2018102337.tif 000004
【図３】
2018102337.tif 000005
【図４】
2018102337.tif 000006
【図５】
2018102337.tif 000007
【図６】
2018102337.tif 000008
【図７】
2018102337.tif 000009
【図８】
2018102337.tif 000010
【図９】
2018102337.tif 000011
【図１０】
2018102337.tif 000012
【図１１】
2018102337.tif 000013